(57)【要約】      （修正有）【課題】吸引チューブの落下や、垂れ下がりを防止できると共に、簡単な構造で安価に作製することができる吸引チューブ保管用ホルダーを提供する。【解決手段】患者の痰、血液、体液等の汚物を吸引して除去するための医療用吸引器１４に一方の端部が取り付けられ、他方の端部を患部に当接させて汚物を吸引させるための吸引チューブ１６を着脱自在に保持させるためのＬ字型板体からなる吸引チューブ保管用ホルダー１０であって、医療用吸引器１４と、ベース体１１との間にベース体１１のフックに着脱自在に取り付けるためのＬ字型板体のＬ字の一方の直線部に取り付け用孔を有すると共に、Ｌ字の他方の直線部の先端部に接続してベース体１１より前方水平に突出する繋ぎ部と、この先端から下方垂直方向に延設するＵ字型フック部１９を有し、しかも繋ぎ部に貫通孔を有する。【選択図】図２
0003134055.tif 000002
【実用新案登録請求の範囲】
【請求項１】
医療現場で発生する患者の痰、血液、体液等の汚物を吸引して除去するための医療用吸引器に一方の端部が取り付けられ、他方の端部を前記患者の患部に当接させて前記汚物を吸引させるための吸引チューブを着脱自在に保持させるためのＬ字型板体からなる吸引チューブ保管用ホルダーであって、
前記医療用吸引器と、これを引っ掛けて保持するためのフックを備えるベース体との間に前記フックに着脱自在に取り付けるための前記Ｌ字型板体のＬ字の一方の直線部に取り付け用孔を有すると共に、前記Ｌ字型板体のＬ字の他方の直線部の先端部に接続して前記ベース体より前方水平に突出する繋ぎ部と、該繋ぎ部の先端から下方垂直方向に延設する前記吸引チューブを引っ掛けるためのＵ字型フック部を有し、しかも前記繋ぎ部に前記吸引チューブの前記他方の端部を差し込むための貫通孔を有することを特徴とする吸引チューブ保管用ホルダー。
【請求項２】
請求項１記載の吸引チューブ保管用ホルダーにおいて、前記吸引チューブの前記他方の端部からの前記汚物の落下を防止するための前記貫通孔に着脱自在に差し込んで取り付けられる有底管体を有することを特徴とする吸引チューブ保管用ホルダー。
【考案の詳細な説明】
【技術分野】
【０００１】
本考案は、医療用吸引器を使用しないときに医療用吸引器に取り付けられている吸引チューブを床に垂らす等のようなことなく収納させておくための吸引チューブ保管用ホルダーに関する。
【背景技術】
【０００２】
図４に示すように、従来の医療現場や、介護現場における患者から発生する痰、血液、体液等の汚物を吸引して除去するためには、ベット周辺の壁等のベース体５１に取り付けられ、真空ポンプで吸引する医療用吸引器５２に接続している吸引チューブ５３の先端部を患者の吸引が必要な患部に押しあてて汚物を吸引して除去するようになっている。そして、患者から汚物を吸引して除去した後、再度使用する前の吸引チューブ５３は、医療用吸引器５１の頂部に取り付けられている圧力ゲージ等の計器５４類に巻き付けたりして整理されている。あるいは、患者から汚物を吸引して除去した後、再度使用する前の吸引チューブ５３は、図示しないが、床上等に設けた受け皿等にまるめて載置して整理されている。
【０００３】
また、従来の吸引チューブを収納するための容器には、１つの吸引チューブで汚物の繰り返しての吸引ができるように、複数の槽を設ける容器をベットのパイプに取り付けて、例えば、洗浄液の入った液槽と、滅菌液の入った液槽に吸引チューブの先端部が挿入できるようにしたものが開示されている（例えば、特許文献１参照）。
【０００４】
【特許文献１】登録実用新案第３０４１４７７号公報
【考案の開示】
【考案が解決しようとする課題】
【０００５】
しかしながら、前述したような従来の吸引チューブ保管用ホルダーは、次のような問題がある。
（１）受け皿等に載置しただけの吸引チューブは、不安定な形態となっているので、ベット周辺を通行する人の邪魔になったり、間違ってひっくり返すことがあり吸引チューブの吸引口を汚染させることとなっている。また、圧力ゲージ等の計器類に巻き付けたりしただけの吸引チューブは、本来計器類が吸引チューブを巻き付けることができるような形態となっていないので、不安定な形態となり、床上に落下したり、垂れ下がったりすることが発生し、吸引チューブの吸引口を汚染させることとなっている。
【０００６】
（２）汚物を吸引して除去するのに使用した吸引チューブは、収納した吸引チューブの吸引口から汚物の残渣が染み出す場合があり、床上を汚染させることとなっている。
【０００７】
（３）登録実用新案第３０４１４７７号公報で開示されるような吸引チューブを収納するための容器は、吸引チューブの吸引口の洗浄は可能であるが、洗浄後の吸引チューブの保管の配慮がないので、吸引チューブの落下や、垂れ下がりによって吸引チューブの吸引口を汚染させることとなっている。また、上記の吸引チューブを収納するための容器は、容器自体が複雑であり、高価なものとなっているので、医療費のコストアップとなっている。
【０００８】
本考案は、かかる事情に鑑みてなされたものであって、吸引チューブの落下や、垂れ下がりを防止できると共に、簡単な構造で安価に作製することができる吸引チューブ保管用ホルダーを提供することを目的とする。
【課題を解決するための手段】
【０００９】
前記目的に沿う本考案に係る吸引チューブ保管用ホルダーは、医療現場で発生する患者の痰、血液、体液等の汚物を吸引して除去するための医療用吸引器に一方の端部が取り付けられ、他方の端部を患者の患部に当接させて汚物を吸引させるための吸引チューブを着脱自在に保持させるためのＬ字型板体からなる吸引チューブ保管用ホルダーであって、医療用吸引器と、これを引っ掛けて保持するためのフックを備えるベース体との間にフックに着脱自在に取り付けるためのＬ字型板体のＬ字の一方の直線部に取り付け用孔を有すると共に、Ｌ字型板体のＬ字の他方の直線部の先端部に接続してベース体より前方水平に突出する繋ぎ部と、繋ぎ部の先端から下方垂直方向に延設する吸引チューブを引っ掛けるためのＵ字型フック部を有し、しかも繋ぎ部に吸引チューブの他方の端部を差し込むための貫通孔を有する。
【００１０】
ここで、上記の吸引チューブ保管用ホルダーは、吸引チューブの他方の端部からの汚物の落下を防止するための貫通孔に着脱自在に差し込んで取り付けられる有底管体を有するのがよい。
【考案の効果】
【００１１】
請求項１又はこれに従属する請求項２記載の吸引チューブ保管用ホルダーは、医療現場で発生する患者の痰、血液、体液等の汚物を吸引して除去するための医療用吸引器に一方の端部が取り付けられ、他方の端部を患者の患部に当接させて汚物を吸引させるための吸引チューブを着脱自在に保持させるためのＬ字型板体からなる吸引チューブ保管用ホルダーであって、医療用吸引器と、これを引っ掛けて保持するためのフックを備えるベース体との間にフックに着脱自在に取り付けるためのＬ字型板体のＬ字の一方の直線部に取り付け用孔を有すると共に、Ｌ字型板体のＬ字の他方の直線部の先端部に接続してベース体より前方水平に突出する繋ぎ部と、繋ぎ部の先端から下方垂直方向に延設する吸引チューブを引っ掛けるためのＵ字型フック部を有し、しかも繋ぎ部に吸引チューブの他方の端部を差し込むための貫通孔を有するので、簡単な構造からなり安価な吸引チューブ保管用ホルダーのＵ字型フック部に吸引チューブを整理して収納でき、吸引チューブの落下や、垂れ下がりを防止できると共に、貫通孔に吸引チューブの先端部を差し込んで、床上への接触を防止できる。
【００１２】
特に、請求項２記載の吸引チューブ保管用ホルダーは、吸引チューブの他方の端部からの汚物の落下を防止するための貫通孔に着脱自在に差し込んで取り付けられる有底管体を有するので、収納した吸引チューブの吸引口からの汚物の残渣の染み出しを受けることができ、汚物の床上への落下を防止することができる。また、有底管体は貫通孔に着脱自在に取り付けることができるので、汚物による汚染の状況によって容易に取り替えることができる。
【考案を実施するための最良の形態】
【００１３】
続いて、添付した図面を参照しつつ、本考案を具体化した実施するための最良の形態について説明し、本考案の理解に供する。
ここに、図１は本考案の一実施の形態に係る吸引チューブ保管用ホルダーをベース体に取り付けた状態の説明図、図２は同吸引チューブ保管用ホルダーと医療用吸引器をベース体に取り付けた状態の説明図、図３（Ａ）、（Ｂ）はそれぞれ同吸引チューブ保管用ホルダーの平面図、Ａ−Ａ’線縦断面図である。
【００１４】
図１、図２に示すように、本考案の一実施の形態に係る吸引チューブ保管用ホルダー１０は、ステンレス、アルミニウム等の金属板や、硬質プラスチック等の樹脂板等を加工して形成されるＬ字型板体からなり、ベット周辺の壁等のベース体１１に設けられている２つのフック１２、１２ａに着脱自在に取り付けられるようになっている。また、このベース体１１のフック１２、１２ａには、医療現場や、介護現場における患者から発生する痰、血液、体液等の汚物を吸引して除去するための医療用吸引器１４が着脱自在に取り付けられるようになっている。
【００１５】
上記のベース体１１には、フック１２、１２ａに隣接して真空ポンプ（図示せず）から延設される配管の配管端末器１３が設けられており、医療用吸引器１４から延設させたホース１５の先端をアダプターを介して差し込むことで医療用吸引器１４に吸引力をはたらかせることができるようになっている。
【００１６】
上記の吸引チューブ保管用ホルダー１０は、患者から発生する痰、血液、体液等の汚物を吸引して除去するための医療用吸引器１４に一方の端部が取り付けられ、他方の端部を患者の患部に当接させて汚物を吸引させるための吸引チューブ１６を着脱自在に保持させるためのものである。吸引チューブ保管用ホルダー１０は、Ｌ字型板体のＬ字の一方の直線部の直角部側寄りの上記のベース体１１のフック１２に対向する位置に瓢箪型貫通孔と、この直線部の端部の上記のベース体１１のフック１２ａに対向する位置に半長円形切り欠き孔の２つからなる取り付け用孔１７、１７ａを有している。上記のベース体１１の２つのフック１２、１２ａには、吸引チューブ保管用ホルダー１０がそれぞれ２つの取り付け用孔１７、１７ａを介して取り付けられるようになっている。
【００１７】
一方、医療用吸引器１４にも、上記のベース体１１のフック１２に対向する位置に瓢箪型貫通孔と、ベース体１１のフック１２ａに対向する位置に半長円形切り欠き孔の２つからなる取り付け部を有し、この取り付け部を介してベース体１１の吸引チューブ保管用ホルダー１０が取り付けられたフック１２、１２ａに更に取り付けられるようになっている。即ち、上記の吸引チューブ保管用ホルダー１０は、医療用吸引器１４と、ベース体１１の間に取り付けられて設けられている。
【００１８】
この吸引チューブ保管用ホルダー１０は、Ｌ字型板体のＬ字の他方の直線部の先端部に接続してベース体１１より前方水平方向に突出する繋ぎ部１８と、この繋ぎ部１８の先端から下方垂直方向に延設する吸引チューブ１６を引っ掛けるための断面視してＵ字型フック部１９を有している。しかも、上記の繋ぎ部１８には、吸引チューブ１６の他方の端部を差し込むための貫通孔２０を有している。患者から汚物を吸引して除去した後、再度使用する前の吸引チューブ１６は、Ｕ字型フック部１９に容易に引っ掛けることができると共に、吸引口を貫通孔２０に差し込んで、床上への接触や、落下を防止することができる。
【００１９】
なお、Ｕ字型フック部１９の開放側の先端部は、最先端を外側に傾斜を持たせて突出させると共に、最先端から少し下がった部分を内側に凹ませる絞り部を設けるのがよい。また、Ｕ字型フック部１９の相対向する間隔は、絞り部部分で吸引チューブ１６の直径より若干小さい程度で、直線部分で吸引チューブ１６の直径より若干大きい程度にするのがよい。これによって、吸引チューブ１６は、Ｕ字型フック部１９への差し込みを容易とすると共に、Ｕ字型フック部１９からの脱落を防止してＵ字型フック部１９に挟み込むことができる。
【００２０】
ここで、図３（Ａ）、（Ｂ） に示すように、上記の吸引チューブ保管用ホルダー１０には、患者から発生する痰、血液、体液等の汚物を吸引して除去した後の吸引チューブ１６の他方の端部からの汚物の床上への落下を防止するための受け皿として、貫通孔２０に差し込んで取り付けられる有底管体２１を有するのがよい。この有底管体２１は、特に材質、形状を限定するものではないが、ガラスや、硬質プラスチック等の絶縁体、あるいは、ステンレス、アルミニウム等の金属体で、吸引チューブ１６の先端部が差し込み可能な程度の開口径を持った試験管形状等からなるのがよく、吸引チューブ１６の他方の端部からの汚物の床上への落下を防止すると共に、有底管体２１内部が汚染された場合の洗浄を容易に行うことができる。また、有底管体２１が内部が外から観察できる透明性を有する場合には、容易に内部の汚染が確認できて取り替えができ、吸引チューブ１６の吸引口を清潔に保つことができる。なお、有底管体２１には、消毒液を入れて、吸引チューブ１６の先端部を差し込んで消毒することもできる。
【産業上の利用可能性】
【００２１】
本考案の吸引チューブ保管用ホルダーは、病院、療養施設、あるいは一般家庭における医療現場や、介護現場で患者から発生する痰、血液、体液等の汚物を吸引して除去するために用いられる医療用吸引器の吸引チューブを清潔に保つことができると共に、ベット周辺を整理整頓できる吸引チューブ保管用ホルダーとして用いることができる。
【図面の簡単な説明】
【００２２】
【図１】は本考案の一実施の形態に係る吸引チューブ保管用ホルダーをベース体に取り付けた状態の説明図である。
【図２】は同吸引チューブ保管用ホルダーと医療用吸引器をベース体に取り付けた状態の説明図である。
【図３】（Ａ）、（Ｂ）はそれぞれ同吸引チューブ保管用ホルダーの平面図、Ａ−Ａ’線縦断面図である。
【図４】は従来の吸引チューブ保管状態の説明図である。
【符号の説明】
【００２３】
１０：吸引チューブ保管用ホルダー、１１：ベース体、１２、１２ａ：フック、１３：配管端末器、１４：医療用吸引器、１５：ホース、１６：吸引チューブ、１７、１７ａ：取り付け用孔、１８：繋ぎ部、１９：Ｕ字型フック部、２０：貫通孔、２１：有底管体
【図１】
0003134055.tif 000003
【図２】
0003134055.tif 000004
【図３】
0003134055.tif 000005
【図４】
0003134055.tif 000006